(57)【要約】      （修正有）【課題】ケースが人体に接触した場合に振動により保健効果を奏することができる振盪保健器を提供する。【解決手段】上蓋１０と、下蓋３０とを備え、上蓋と下蓋はそれぞれチタン金属板片からプレスされてなるものであり、両者は半田付けによりケースを構成している。ケース内には駆動素子組１３が設けられ、上蓋と下蓋との間には振盪リングシート２０が設けられている。駆動素子組により振盪リングシートの薄手シート２１に揺動を生じさせ、ケースを低周波で規則的に振動させる。【選択図】図１
0003217093.tif 000002
【実用新案登録請求の範囲】
【請求項１】
上蓋と、下蓋と、振盪リングシートとを備え、該上蓋と下蓋はそれぞれチタン金属板片からなり、該上蓋と下蓋はそれぞれ内凹空間と開口端面とを有する蓋体であり、該下蓋の開口端面を該上蓋の開口端面と相対的に結合することでケースを構成しており、該振盪リングシートは、薄片状リングであり、該上蓋の開口端面と該下蓋の開口端面との間に結合されており、薄手シートは該振盪リングシートの内周から中心に向けて一体的に延在し、その末端に錘部が設けられており、該上蓋の内側または該下蓋の内側には駆動素子組が設けられており、該駆動素子組は、該薄手シートの錘部を駆動することで、該薄手シートと該錘部が周期的に揺動しかつ該ケースが規則的に振動することを特徴とする振盪保健器。
【請求項２】
該駆動素子組は該上蓋の内側に設けられており、該駆動素子組はＩＣチップを有する電磁弁を含み、周期的な計時作用を提供することで、該電磁弁を作動させるものであり、電池ユニットは該電磁弁に電気的に接続することで電磁弁の作動に必要な電力を提供することができ、該電磁弁の作動は周期的に該薄手シートの錘部に衝撃することで、該薄手シートと錘部とが周期的に揺動することを特徴とする請求項１に記載の振盪保健器。
【請求項３】
該上蓋には穿通孔が設けられ、閉塞蓋により該穿通孔が閉塞され、該駆動素子組は該閉塞蓋の底部に設けられており、該閉塞蓋を取り外した後、該駆動素子組を検査・交換することができることを特徴とする請求項１に記載の振盪保健器。
【考案の詳細な説明】
【技術分野】
【０００１】
本考案は、振盪保健器に関し、特にチタン金属でケースが製造され、その蓋体に低周波振幅を生じさせることで、人体に保健効果をもたらす保健器に関するものである。
【背景技術】
【０００２】
現代人は、生活圧力が大きく、仕事のテンポが速いため、肩、ネック、腰、腿等の部位に疲労や痛みを感じることがある。また、年長者には、体の機能老化や関節の退化のため、圧力や疲労の緩和、痛みの軽減を可能にする適当な方法または器具が必要である。マッサージは、圧力の緩和、痛みの軽減を可能にする方法である。マッサージは、通常、疲労部位または体の痛み部位を素手で揉むことにより、肌理の緩和、経路の活性化、気分のリラックス、さらには、疾病痛みの軽減に対しても一定の効果を奏することができる。しかしながら、疲労部位を手で揉むことには、力を入れにくい、または力が不十分であるという問題がよくある。従って、マッサージ器具によりマッサージを行うことは好ましい選択である。
【０００３】
チタン金属（Ｔｉ）は、通常、二酸化チタンの形態で存在し、軽量、耐腐食、高強度等に優れた特性を有する。チタン金属と酸素との結合力が強いため、常温において、チタン表面には一層の酸化膜が生成しやすい。近年、二酸化チタン（ＴｉＯ２）は広く応用されており、３種の同質異像体（ｐｏｌｙｍｏｒｐｈｓ）、即ちアナターゼ（Ａｎａｔａｓｅ）型構造、ルチル（Ｒｕｔｉｌｅ）型構造、及び板チタン石（Ｂｒｏｏｋｉｔｅ）型構造の３つを有することに特徴がある。そのうち、アナターゼは最適な光触媒活性化作用（ｐｈｏｔｏｃａｔａｌｙｓｉｓ  ａｃｔｉｖｉｔｙ）を有する。アナターゼがこの性質を有するのは、チタン（Ｔｉ）が半導体であり、その導電性が金属と絶縁体との間にあり、有機化合物が紫外線照射下で減成可能であるからである。アナターゼは、この化学的変換を促進する能力を有し、光触媒効果を奏することができるため、注目されている。光触媒は、光エネルギーを利用して反応を促進する触媒であり、光エネルギーの起動により物体表面に付着された外部物質に酸化または還元作用を起こさせることで、汚れ除去、殺菌、細菌抑止または物体表面の清潔を達成することができる。
【０００４】
保健用品分野において、現在、チタン金属特性を発揮し、人体マッサージ保健と医療用の製品に運用する製品はまだ現れていない。
【０００５】
チタン金属は優れた物理特性、良好な機械性能、極めて良好な生物親和性を有し、特にチタン金属は光触媒作用を有する。従って、さらなる高品質のチタン金属保健用品を獲得するためのより良い設計研究開発及び革新創造的な手段があるべきである。
【考案の概要】
【考案が解決しようとする課題】
【０００６】
そこで、本考案は、チタン金属を材料として形成された中空状ケースに低周波振盪を持続的に生じさせることで、該低周波振盪により人体に保健や治療効果をもたらす振盪保健器を提供することを目的とする。
【課題を解決するための手段】
【０００７】
本考案に係る振盪保健器は、上蓋と、下蓋と、振盪リングシートとを備え、該上蓋と下蓋はそれぞれチタン金属板片からなり、該下蓋の開口端面を該上蓋の開口端面と結合することでケースを構成している。該振盪リングシートは、薄片状リングであり、該上蓋の開口端面と該下蓋の開口端面との間に結合されている。薄手シートは該振盪リングシートの内周から中心に向けて一体的に延在し、その末端に錘部が設けられている。該上蓋内側または該下蓋内側には、該薄手シートと該錘部が周期的に揺動しかつ該ケースが規則的に振動できるようにする駆動素子組が設けられている。
【考案の効果】
【０００８】
本考案に係る振盪保健器によれば、チタン金属からなり低周波振幅を発生可能なケースを人体に接触させることにより、保健効果を奏することができる。
【図面の簡単な説明】
【０００９】
【図１】本考案に係る振盪保健器の立体構造図である。
【図２】本考案に係る振盪保健器の側面断面構造図である。
【図３】本考案に係る振盪保健器の振盪模式図である。
【考案を実施するための形態】
【００１０】
図１及び図２を参照すると、本考案に係る振盪保健器は、上蓋１０と、振盪リングシート２０と、下蓋３０とを含む。上蓋１０は、内凹空間１００と開口端面１０１とを有する蓋体であり、チタン金属板片からプレスされてなるものである。上蓋１０には穿通孔１１が設けられ、閉塞蓋１２により穿通孔１１が閉塞される。この実施例において、閉塞蓋１２は、螺合により穿通孔１１に結合されることで穿通孔１１を閉塞するが、これに限定されるものではない。閉塞蓋１２の底部には駆動素子組１３が設けられており、駆動素子組１３は、ＩＣチップを有する電磁弁１３１を含み、周期性の計時作用を提供することで、電磁弁１３１は、作動部材１３３が突出又は内縮の間歇移動を行うように駆動することができる。駆動素子組１３は、電磁弁１３１の作動に必要な電力を供給する電池ユニット１３２をさらに含む。駆動素子組１３は、閉塞蓋１２の底部に配置されるのが好ましい。これにより、閉塞蓋１２を取り外した後、駆動素子組１３を検査・維持することができる。
【００１１】
振盪リングシート２０は、薄片状リングであり、その形状が上蓋１０の開口端面１０１の形状に対応する。薄手シート２１は、振盪リングシート２０の内周から中心に向けて一体的に延在し、薄手シート２１はケースＡに位置し、末端に錘部２２が設けられている。
【００１２】
下蓋３０は、内凹空間３００と開口端面３０１とを有する蓋体であり、チタン金属からプレスされてなるものである。下蓋３０と上蓋１０とは対称的な形状となっており、下蓋３０の開口端面３０１と上蓋１０の開口端面１０１との相対的な結合により、表面が円滑かつ完全なケースＡを構成している。
【００１３】
組み立ての場合は、上蓋１０、振盪リングシート２０、下蓋３０を順次に積層することにより、振盪リングシート２０を上蓋１０の開口端面１０１と下蓋３０の開口端面３０１の間に介在させ、この３者を半田付けで結合する。駆動素子組１３の電磁弁１３１が作動した場合、作動部材１３３はちょうど振盪リングシート２０における薄手シート２１の錘部２２に衝突することができ、薄手シート２１及び錘部２２は上下に周期的に揺動することになる。
【００１４】
図３に示すように、電磁弁１３１が作動し振盪リングシート２０における薄手シート２１の錘部２２を動かした場合、薄手シート２１及び錘部２２は上下に周期的に揺動する。この揺動力が上蓋１０と下蓋３０とに伝達されるため、ケースＡは低周波で規則的に振動することになる。実施の場合は、ケースＡを人体の適当な位置に接触させ、ケースＡの振動により人体に対してマッサージ、穴位刺激、筋肉緩和の保健効果をもたらす。
【００１５】
本考案に係る振盪保健器は、下記の利点と効果を有する。
１、 上蓋１０と、振盪リングシート２０と、下蓋３０との組み合わせでケースＡが形成され、振盪リングシート２０における薄手シート２１の錘部２２により持続的な振動が発生することで、ケースＡは規則的な振動を生成可能であるため、人体に保健効果をもたらすことができる。
【００１６】
２、 ケースＡの振動源は、振盪リングシート２０の薄手シート２１による揺動である。薄手シート２１は、上蓋１０または下蓋３０の上に半田付けされるのではなく、振盪リングシート２０と一体的に形成されているため、ウェルドによる応力脆弱化の問題を回避することができ、製品の耐用性及び振動の質量が向上している。
【００１７】
３、 上蓋１０及び下蓋３０はチタン金属板片からなり、基本的には軽量、強固、耐腐食等、材料の利点に優れているほか、アナターゼ型構造が有する光触媒作用を具備しているため、汚れ除去、殺菌、細菌抑止等の効果を奏することができる。
【００１８】
４、 駆動素子組１３は閉塞蓋１２の底部に設けられているため、穿通孔１１と閉塞蓋１２とにより駆動素子組１３を容易に検査・部品交換することができる。
【００１９】
この実施例において、駆動素子組１３は上蓋１０の内側に設けられているが、駆動素子組１３は下蓋３０の内側または底部に設けられてもよい。この実施例において、ケースＡは楕円造形であるが、ケースＡはその他の造形であってもよい。
【００２０】
本考案に係る振盪保健器はチタン金属からなり、チタン金属の利点と振盪の保健効果とが組み合わせられているため、相乗的な優れた効果を奏することができ、実用性及び産業利用性向上の要件を達成することができる。
【００２１】
以上のように、本考案では、上蓋と、下蓋と、振盪リングシートとを備え、該上蓋と下蓋はそれぞれチタン金属板片からなり、該上蓋と下蓋はそれぞれ内凹空間と開口端面とを有する蓋体であり、該下蓋の開口端面を該上蓋の開口端面と相対的に結合することでケースを構成しており、該振盪リングシートは、薄片状リングであり、該上蓋の開口端面と該下蓋の開口端面との間に結合されており、薄手シートは該振盪リングシートの内周から中心に向けて一体的に延在し、その末端に錘部が設けられており、該上蓋の内側または該下蓋の内側には駆動素子組が設けられており、該駆動素子組は、該薄手シートの錘部を駆動することで、該薄手シートと該錘部が周期的に揺動しかつ該ケースが規則的に振動することを特徴とする振盪保健器とするものである。
【００２２】
また、該駆動素子組は該上蓋の内側に設けられており、該駆動素子組はＩＣチップを有する電磁弁を含み、周期的な計時作用を提供することで、該電磁弁を作動させるものであり、電池ユニットは該電磁弁に電気的に接続することで電磁弁の作動に必要な電力を提供することができ、該電磁弁の作動は周期的に該薄手シートの錘部に衝撃することで、該薄手シートと錘部とが周期的に揺動するものとする。
【００２３】
また、該上蓋には穿通孔が設けられ、閉塞蓋により該穿通孔が閉塞され、該駆動素子組は該閉塞蓋の底部に設けられており、該閉塞蓋を取り外した後、該駆動素子組を検査・交換することができるものとする。
【産業上の利用可能性】
【００２４】
本考案に係る振盪保健器によれば、チタン金属からなり低周波振幅を発生可能なケースを人体に接触させることにより、保健効果を奏することができる。
【符号の説明】
【００２５】
１０  上蓋
１００  内凹空間
１０１  開口端面
１１  穿通孔
１２  閉塞蓋
１３  駆動素子組
１３１  電磁弁
１３２  電池ユニット
１３３  作動部材
２０  振盪リングシート
２１  薄手シート
２２  錘部
３０  下蓋
３００  内凹空間
３０１  開口端面
Ａ  ケース
【図１】
0003217093.tif 000003
【図２】
0003217093.tif 000004
【図３】
0003217093.tif 000005